(57)【要約】【課題】配線覆いを仮止めできるようにし、１人で配線覆いの着脱ができるようにする。【解決手段】配線覆い３の上端縁を断面略Ｌ字状に折曲して引掛片９を形成し、支柱４の上部に配線覆い３を固定するためのローレットネジ５を螺合するために設けた固定部材７に配線覆い３の引掛片９が引っ掛けられる引掛受け部８を一体に形成する。配線覆い３は引掛片９を支柱４の引掛受け部８に引っ掛けて仮止めし、ローレットネジ５を配線覆い３のネジ挿通孔１１に挿通させて支柱４のネジ孔６に螺着することにより固定することができる。【選択図】        図１
2004215426.tif 000002
【特許請求の範囲】
【請求項１】
ボックスの底面の４隅に立設した支柱により開口を被覆するための配線覆いを支持するようにした分電盤において、前記配線覆いの上端縁に引掛片を形成し、前記ボックスの上部側に設けた２つの支柱に形成した引掛受け部に前記配線覆いの引掛片を引っ掛けて仮止め可能にしたことを特徴とする分電盤。
【請求項２】
前記配線覆いの外形寸法が異なるとともに、前記支柱の固定位置が一箇所に決められた複数種類の前記分電盤において、前記配線覆いを前記支柱に固定する状態で、前記支柱の引掛受け部の高さ位置と前記配線覆いの上端縁との高さ位置が同じ場合は前記引掛片を断面略Ｌ字状に形成し、前記支柱の引掛受け部の高さ位置より前記配線覆いの上端縁の高さ位置が高い場合は前記引掛片を断面略コ字状に形成したことを特徴とする請求項１に記載の分電盤。
【発明の詳細な説明】
【０００１】
【発明の属する技術分野】
本発明は、ボックスの開口を被覆するための配線覆いを仮止めできるようにした分電盤に関する。
【０００２】
【従来の技術】
分電盤の配線覆いを仮止めするための構造としては、例えば、特許文献１に示されるものがある。この分電盤は、配線覆いの下端部に断面がコ字状の仮置き部を設け、仮置き部をボックスの開口下側短縁部に乗せて仮置きし、仮置き部を支点にし配線覆いを立てて、位置決めをしてからローレットねじで配線覆いを支柱に締め付け固定していた。分電盤に用いられるボックスには特許文献２に示されるような屋内用ボックスと、特許文献３に示されるようなボックスの開口に水切り片を形成した屋外用ボックスがあるが、特許文献１に示される配線覆いの仮止め構造では配線覆いに形成した仮置き部が邪魔になり、屋内用ボックスと屋外用ボックスの両方ともに扉を設けることができないので使用することができなかった。尚、屋内用ボックスと屋外用ボックスでは開口の形状が異なるため、ボックスの外形寸法が同じでも開口寸法が異なり、開口を被覆するための配線覆いの外形寸法も異なっている。また、ボックス内に平行に配設した２本のレールへ機器取り付け用パネルを自由に配置するために支柱の固定位置が一箇所に決まっていた。
【０００３】
【特許文献１】
実開平７−２０００８号公報（第６頁、第１−３図）
【特許文献２】
特開平７−２８４２０３号公報（第３，４図）
【特許文献３】
特開平９−２３２７６８号公報（第７，８図）
【０００４】
【発明が解決しようとする課題】
そのため、従来の配線覆いは仮止めできず、配線覆いと支柱とをねじ止めするには、支柱のネジ孔と配線覆いのネジ挿通孔とを合わせるために人が押さえなければならず、更にねじ止めする人も必要なので１人で作業ができず、配線覆いの取り外しも１人で作業ができなかった。
【０００５】
そこで上記問題点に鑑み、本発明の目的は、配線覆いを仮止めできるようにし、１人で配線覆いの着脱ができる分電盤を提供することである。
【０００６】
【課題を解決するための手段】
上記目的を達成するために、請求項１に記載の発明によれば、ボックスの底面の４隅に立設した支柱により開口を被覆するための配線覆いを支持するようにした分電盤において、配線覆いの上端縁に引掛片を形成し、ボックスの上部側に設けた２つの支柱に形成した引掛受け部に配線覆いの引掛片を引っ掛けて仮止め可能にしたことを特徴とする。
【０００７】
請求項２に記載の発明によれば、請求項１に記載の分電盤であって、配線覆いの外形寸法が異なるとともに、支柱の固定位置が一箇所に決められた複数種類の分電盤において、配線覆いを支柱に固定する状態で、支柱の引掛受け部の高さ位置と配線覆いの上端縁との高さ位置が同じ場合は引掛片を断面略Ｌ字状に形成し、支柱の引掛受け部の高さ位置より配線覆いの上端縁の高さ位置が高い場合は引掛片を断面略コ字状に形成したことを特徴とする。
【０００８】
【発明の実施の形態】
請求項１に記載の発明によれば、ボックスの底面の４隅に立設した支柱により開口を被覆するための配線覆いを支持するようにした分電盤において、配線覆いの上端縁に引掛片を形成し、ボックスの上部側に設けた２つの支柱に形成した引掛受け部に配線覆いの引掛片を引っ掛けて仮止め可能にしたことにより、配線覆いを仮止めすることができ、１人で配線覆いの着脱ができる。
【０００９】
請求項２に記載の発明によれば、請求項１に記載の分電盤であって、配線覆いの外形寸法が異なるとともに、支柱の固定位置が一箇所に決められた複数種類の分電盤において、配線覆いを支柱に固定する状態で、支柱の引掛受け部の高さ位置と配線覆いの上端縁との高さ位置が同じ場合は引掛片を断面略Ｌ字状に形成し、支柱の引掛受け部の高さ位置より配線覆いの上端縁の高さ位置が高い場合は引掛片を断面略コ字状に形成したことにより、部品点数を増加させずに複数種類の外形寸法の配線覆いを仮止めすることができる。
【００１０】
【実施例】
本発明に係る分電盤の一実施例を図１及び図２の添付図面に基づいて説明する。
【００１１】
分電盤のボックス１の底面の４隅にボックス１の開口２を被覆するための配線覆い３を支持するために支柱４が立設されている。
【００１２】
支柱４の上部には配線覆い３を固定するためのローレットネジ５が螺合するネジ孔６が穿設された固定部材７が螺着されて取り付けられている。また、ボックス１の上部側に設けられた２つの支柱４の固定部材７は配線覆い３を仮止めするための引掛受け部８が一体に形成されている。
【００１３】
配線覆い３は支柱４の引掛受け部８に引っ掛けることができるように上端縁を断面略Ｌ字状または断面略コ字状に折曲して引掛片９を形成している。尚、ボックス１の開口２の形状によって開口寸法が異なり、開口寸法に応じて配線覆い３の外形寸法も異なる。また、ボックス１内に平行に配設した２本のレール１０へ機器取り付け用パネルを自由に配置するために支柱４の固定位置が一箇所に決まっている。
【００１４】
そのため、配線覆い３の引掛片９は、配線覆い３を支柱４に固定する状態で、支柱４の引掛受け部８の高さ位置と配線覆い３の上端縁との高さ位置が同じ場合は図１に示すように断面略Ｌ字状に形成し、支柱４の引掛受け部８の高さ位置より配線覆い３の上端縁の高さ位置が高い場合は図２に示すように断面略コ字状に形成して先端が支柱４の引掛受け部８に到るように形成している。これにより、配線覆い３の外形寸法に応じて支柱４の引掛受け部８の形状を変更しなくて良いので部品点数を増加させずに複数種類の配線覆いに対応することができる。
【００１５】
このように、配線覆い３は引掛片９を支柱４の引掛受け部８に引っ掛けて仮止めすることができ、配線覆い３のネジ挿通孔１１と支柱４のネジ孔６との位置を合わせ、ローレットネジ５をネジ挿通孔１１に挿通させてネジ孔６に螺着することにより配線覆い３を固定することができ、また、配線覆い３を取り外す場合は逆の手順により行い、１人でも着脱が可能になる。
【００１６】
尚、本実施例において配線覆いの引掛片をＬ字状又はコ字状に形成したが、例えば、図３に示すように配線覆い３の上端縁を折り返し、その折り返した部分をＬ字状に折曲して引掛片９を形成したり、図４に示すように配線覆い３のＬ字状の引掛片９の先端を内側に折曲して係止爪１２を形成し、支柱４の引掛受け部８の端部に係止するように形成したり、図５に示すように支柱４の引掛受け部８に配線覆い３の引掛片９の先端が係止するように係止受け部１３を形成する等、配線覆いの引掛片と支柱の引掛受け部の形状について本発明の趣旨を逸脱しない範囲で適宜変更可能である。
【００１７】
【発明の効果】
以上説明したように請求項１に記載の発明によれば、ボックスの底面の４隅に立設した支柱により開口を被覆するための配線覆いを支持するようにした分電盤において、配線覆いの上端縁に引掛片を形成し、ボックスの上部側に設けた２つの支柱に形成した引掛受け部に配線覆いの引掛片を引っ掛けて仮止め可能にしたことにより、配線覆いを仮止めすることができ、１人で配線覆いの着脱ができるという効果がある。
【００１８】
請求項２に記載の発明によれば、請求項１に記載の分電盤の配線覆い仮止め構造において、配線覆いの外形寸法が異なるとともに、支柱の固定位置が一箇所に決められた複数種類の分電盤において、配線覆いを支柱に固定する状態で、支柱の引掛受け部の高さ位置と配線覆いの上端縁との高さ位置が同じ場合は引掛片を断面略Ｌ字状に形成し、支柱の引掛受け部の高さ位置より配線覆いの上端縁の高さ位置が高い場合は引掛片を断面略コ字状に形成したことにより、部品点数を増加させずに複数種類の外形寸法の配線覆いを仮止めすることができるという効果がある。
【図面の簡単な説明】
【図１】本発明に係る分電盤の縦断面図である。
【図２】本発明に係る分電盤の縦断面図であり、外形寸法の大きい配線覆いを支柱に取り付けた状態を示す。
【図３】本発明の変形実施例を示す分電盤の縦断面図である。
【図４】本発明の変形実施例を示す分電盤の縦断面図である。
【図５】本発明の変形実施例を示す分電盤の縦断面図である。
【符号の説明】
３…配線覆い
４…支柱
８…引掛受け部
９…引掛片
【図１】
2004215426.tif 000003
【図２】
2004215426.tif 000004
【図３】
2004215426.tif 000005
【図４】
2004215426.tif 000006
【図５】
2004215426.tif 000007